(57)【要約】本願はロールブラシ装置および洗浄機器を提供し、前記ロールブラシ装置はロールブラシ（２１）および取り付けアセンブリを含み、前記ロールブラシ（２１）と前記取り付けアセンブリとが接続され、前記ロールブラシ（２１）は前記取り付けアセンブリに対して回動可能であり、前記取り付けアセンブリは前記ロールブラシ（２１）を連動して動かすことができ、前記取り付けアセンブリの一方側に逃げ切欠（２０ａ）が形成され、前記ロールブラシ（２１）は前記逃げ切欠（２０ａ）から露出する。【選択図】図３
2021516070.tif 000002
【特許請求の範囲】
【請求項１】
ロールブラシ（２１）と、
取り付けアセンブリと、を含み、前記ロールブラシ（２１）と前記取り付けアセンブリとが接続され、前記ロールブラシ（２１）は前記取り付けアセンブリに対して回動可能であり、前記取り付けアセンブリは前記ロールブラシ（２１）を連動して動かすことができ、前記取り付けアセンブリの一方側に逃げ切欠（２０ａ）が形成され、前記ロールブラシ（２１）は前記逃げ切欠（２０ａ）から露出する、
ことを特徴とするロールブラシ装置。
【請求項２】
前記取り付けアセンブリに収容キャビティ（２０ｃ）および吹出口（２０ｂ）が形成され、前記ロールブラシ（２１）はロールブラシ軸（２１０）およびブラシ毛（２１１）を含み、前記ロールブラシ軸（２１０）は前記収容キャビティ（２０ｃ）内に設けられ、前記逃げ切欠（２０ａ）は前記収容キャビティ（２０ｃ）の底側に形成され、前記吹出口（２０ｂ）は前記収容キャビティ（２０ｃ）の前記底側と異なる側に形成され、前記収容キャビティ（２０ｃ）における気流は前記吹出口（２０ｂ）を介して前記収容キャビティ（２０ｃ）から排出される、
ことを特徴とする請求項１に記載のロールブラシ装置。
【請求項３】
前記取り付けアセンブリは取り付けブラケット（２２）および遮蔽板（２３）を含み、前記取り付けブラケット（２２）の内部が中空であり、前記遮蔽板（２３）は、前記取り付けブラケット（２２）内の空間を、相互に分離する第１の空間（２２ａ）および第２の空間（２２ｂ）に分割するように、前記取り付けブラケット（２２）の内部に密封して設置され、前記第１の空間（２２ａ）は、前記収容キャビティ（２０ｃ）の少なくとも一部として形成される、
ことを特徴とする請求項２に記載のロールブラシ装置。
【請求項４】
前記取り付けアセンブリは底蓋（２４）および取り付けブラケット（２２）を含み、前記底蓋（２４）と前記取り付けブラケット（２２）とは取り外し可能に接続され、前記逃げ切欠（２０ａ）は前記底蓋（２４）に形成され、前記ロールブラシ（２１）はロールブラシ軸（２１０）およびブラシ毛（２１１）を含み、前記ロールブラシ軸（２１０）は前記取り付けブラケット（２２）および／または前記底蓋（２４）に取り付けられる、
ことを特徴とする請求項１に記載のロールブラシ装置。
【請求項５】
前記底蓋（２４）は底板（２４１）および前記底板（２４１）の縁部から前記取り付けブラケット（２２）へ延在するスカート部（２４２）を含み、前記逃げ切欠（２０ａ）は前記底板（２４１）に形成され、前記スカート部（２４２）の前記ロールブラシ（２１）の軸方向に沿う両側に第１の取り付け切欠（２４ａ）が形成され、前記取り付けブラケット（２２）の底部の両側に第２の取り付け切欠（２２ｃ）が形成され、前記第１の取り付け切欠（２４ａ）は対応する前記第２の取り付け切欠（２２ｃ）とともに取り付け孔（２０ｄ）を形成するように囲み、前記ロールブラシ軸（２１０）の軸方向の両端は前記取り付け孔（２０ｄ）内に回動可能に挿設される、
ことを特徴とする請求項４に記載のロールブラシ装置。
【請求項６】
前記底蓋（２４）の前記取り付けブラケット（２２）から離れる底端面は傾斜面として形成され、前記ロールブラシ装置はさらにロール支持部（２８）を含み、前記ロール支持部（２８）は前記底蓋（２４）の底端面における高さが低い側に回動可能に設置され、前記ロール支持部（２８）の少なくとも一部の構造は前記底蓋（２４）の底端面から突出し、前記ロール支持部（２８）の回動中心線は前記ロールブラシ（２１）の回動中心線と平行である、
ことを特徴とする請求項４に記載のロールブラシ装置。
【請求項７】
前記ロール支持部（２８）はローラとして形成される、
ことを特徴とする請求項６に記載のロールブラシ装置。
【請求項８】
前記ロールブラシ装置は引き上げ部（２５）を含み、前記引き上げ部（２５）は前記取り付けブラケット（２２）に接続され、前記引き上げ部（２５）の少なくとも一部の構造は前記取り付けブラケット（２２）のトップ側から露出する、
ことを特徴とする請求項３〜７のいずれか一項に記載のロールブラシ装置。
【請求項９】
前記取り付けブラケット（２２）は光透過性材料で製造される、
ことを特徴とする請求項３〜７のいずれか一項に記載のロールブラシ装置。
【請求項１０】
前記ロールブラシ装置は第１の駆動接続部（２７）を含み、前記第１の駆動接続部（２７）は前記ロールブラシ（２１）の少なくとも１つの軸端と駆動接続される、
ことを特徴とする請求項１に記載のロールブラシ装置。
【請求項１１】
本体部（１０）および請求項１〜１０のいずれか一項に記載のロールブラシ装置を含み、前記本体部（１０）内に取り付けキャビティ（１０１）が形成され、前記取り付けキャビティ（１０１）の底側に第１の開口（１０２）が形成され、前記ロールブラシ（２１）は前記第１の開口（１０２）から露出し、前記取り付けキャビティ（１０１）の底側と異なる側に第２の開口（１０３）が形成され、前記ロールブラシ装置は、前記第２の開口（１０３）から、前記取り付けキャビティ（１０１）に組み込むか、または前記取り付けキャビティ（１０１）から取り出すことができる、
ことを特徴とする洗浄機器。
【請求項１２】
前記第２の開口（１０３）は前記本体部（１０）のトップ側に形成される、
ことを特徴とする請求項１１に記載の洗浄機器。
【請求項１３】
前記取り付けキャビティ（１０１）の内壁に段差面（１０４）が形成され、前記取り付けアセンブリにフランジ構造（２２１）が形成され、前記フランジ構造（２２１）は前記段差面（１０４）に支持される、
ことを特徴とする請求項１１に記載の洗浄機器。
【請求項１４】
前記洗浄機器は第２の駆動接続部（３１）を含み、前記ロールブラシ装置は第１の駆動接続部（２７）を含み、前記第１の駆動接続部（２７）は前記ロールブラシ（２１）の少なくとも１つの軸端と駆動接続され、前記第２の駆動接続部（３１）と前記第１の駆動接続部（２７）とは駆動接続と接続切断とを切り換えることができる、
ことを特徴とする請求項１１に記載の洗浄機器。
【請求項１５】
前記第２の駆動接続部（３１）は前記ロールブラシ（２１）の軸方向に沿って往復移動することができ、前記第２の駆動接続部（３１）が、前記第１の駆動接続部（２７）から離れる方向へ、第１のプリセット位置まで移動した場合、前記第２の駆動接続部（３１）と前記第１の駆動接続部（２７）との間は接続が切断され、前記第２の駆動接続部（３１）が、前記第１の駆動接続部（２７）に近づく方向へ、第２のプリセット位置まで移動した場合、前記第２の駆動接続部（３１）と前記第１の駆動接続部（２７）との間は駆動接続される、
ことを特徴とする請求項１４に記載の洗浄機器。
【請求項１６】
前記第１の駆動接続部（２７）の前記第２の駆動接続部（３１）に向かう側に複数の第１のチャック爪（２７１）が形成され、前記第２の駆動接続部（３１）の前記第１の駆動接続部（２７）に向かう側に複数の第２のチャック爪（３１１）が形成され、複数の前記第２のチャック爪（３１１）と複数の前記第１のチャック爪（２７１）とは挿嵌される、
ことを特徴とする請求項１４に記載の洗浄機器。
【請求項１７】
前記洗浄機器はロボット掃除機である、
ことを特徴とする請求項１１〜１６のいずれか一項に記載の洗浄機器。
【発明の詳細な説明】
【技術分野】
【０００１】
「関連出願の相互参照」
本願は、２０１９年２月１２日に出願された、中国特許出願第２０１９１０１１１７２０．８号の中国特許出願の優先権を主張し、当該中国特許出願の全体が参照によりここに組み込まれる。
【０００２】
本願は、洗浄電気機器の技術分野に関し、特に、ロールブラシ装置および洗浄機器に関する。
【背景技術】
【０００３】
ロボット掃除機を例として、従来のロボット掃除機のロールブラシは底部に位置し、ロールブラシの洗浄、またはロールブラシの交換が必要となった場合は、まずロボット掃除機を反転させることでロボットの底部を上に向け、続いて、ロールブラシの底蓋を開け、ロールブラシを取り外してから、洗浄する必要があった。ロールブラシの洗浄またはロールブラシの交換後は、ロールブラシをロボット掃除機に取り付け、ロボット掃除機を再反転させる。上記のロボット掃除機は、ロールブラシの着脱過程でロボット掃除機を複数回反転させる必要があるため、ロールブラシの着脱が容易ではない。
【発明の概要】
【発明が解決しようとする課題】
【０００４】
これに鑑みて、本願の実施例は、着脱が容易なロールブラシ装置および洗浄機器を提供することを望んでいる。
【課題を解決するための手段】
【０００５】
上記の目的を達成するために、本願の実施例の一態様にて提供されるロールブラシ装置は、ロールブラシおよび取り付けアセンブリを含み、前記ロールブラシと前記取り付けアセンブリとが接続され、前記ロールブラシは前記取り付けアセンブリに対して回動可能であり、前記取り付けアセンブリは前記ロールブラシを連動して動かすことができ、前記取り付けアセンブリの一方側に逃げ切欠が形成され、前記ロールブラシは前記逃げ切欠から露出する。
【０００６】
さらに、前記取り付けアセンブリに収容キャビティおよび吹出口が形成され、前記ロールブラシはロールブラシ軸およびブラシ毛を含み、前記ロールブラシ軸は前記収容キャビティ内に設けられ、前記逃げ切欠は前記収容キャビティの底側に形成され、前記吹出口は前記収容キャビティの底側と異なる側に形成され、前記収容キャビティにおける気流は前記吹出口を介して前記収容キャビティから排出される。
【０００７】
さらに、前記取り付けアセンブリは取り付けブラケットおよび遮蔽板を含み、前記取り付けブラケットの内部が中空であり、前記遮蔽板は、前記取り付けブラケット内の空間を、相互に分離する第１の空間および第２の空間に分割するように、前記取り付けブラケットの内部に密封して設置され、前記第１の空間は、前記収容キャビティの少なくとも一部として形成される。
【０００８】
さらに、前記取り付けアセンブリは底蓋および取り付けブラケットを含み、前記底蓋と前記取り付けブラケットとは取り外し可能に接続され、前記逃げ切欠は前記底蓋に形成され、前記ロールブラシはロールブラシ軸およびブラシ毛を含み、前記ロールブラシ軸は前記取り付けブラケットおよび／または前記底蓋に取り付けられる。
【０００９】
さらに、前記底蓋は底板および前記底板の縁部から前記取り付けブラケットへ延在するスカート部を含み、前記逃げ切欠は前記底板に形成され、前記スカート部の前記ロールブラシの軸方向に沿う両側に第１の取り付け切欠が形成され、前記取り付けブラケットの底部の両側に第２の取り付け切欠が形成され、前記第１の取り付け切欠は対応する前記第２の取り付け切欠とともに取り付け孔を形成するように囲み、前記ロールブラシ軸の軸方向の両端は前記取り付け孔内に回動可能に挿設される。
【００１０】
さらに、前記底蓋の前記取り付けブラケットから離れる底端面は傾斜面として形成され、前記ロールブラシ装置はさらにロール支持部を含み、前記ロール支持部は前記底蓋の底端面における高さが低い側に回動可能に設置され、前記ロール支持部の少なくとも一部の構造は前記底蓋の底端面から突出し、前記ロール支持部の回動中心線は前記ロールブラシの回動中心線と平行である。
【００１１】
さらに、前記ロール支持部はローラとして形成される。
【００１２】
さらに、前記ロールブラシ装置は引き上げ部を含み、前記引き上げ部は前記取り付けブラケットに接続され、前記引き上げ部の少なくとも一部の構造は前記取り付けブラケットのトップ側から露出する。
【００１３】
さらに、前記取り付けブラケットは光透過性材料で製造される。
【００１４】
さらに、前記ロールブラシ装置は、動力源と接続するための第１の駆動接続部を含み、前記第１の駆動接続部は前記ロールブラシの少なくとも１つの軸端と駆動接続される。
【００１５】
本願の実施例の別の態様にて提供される洗浄機器は、本体部および上記のいずれかのロールブラシ装置を含み、前記本体部内に取り付けキャビティが形成され、前記取り付けキャビティの底側に第１の開口が形成され、前記ロールブラシは前記第１の開口から露出し、前記取り付けキャビティの底側と異なる側に第２の開口が形成され、前記ロールブラシ装置は、前記第２の開口から、前記取り付けキャビティに組み込むか、または前記取り付けキャビティから取り出すことができる。
【００１６】
さらに、前記第２の開口は前記本体部のトップ側に形成される。
【００１７】
さらに、前記取り付けキャビティの内壁に段差面が形成され、前記取り付けアセンブリにフランジ構造が形成され、前記フランジ構造は前記段差面に支持される。
【００１８】
さらに、前記洗浄機器は第２の駆動接続部を含み、前記ロールブラシ装置は第１の駆動接続部を含み、前記第１の駆動接続部は前記ロールブラシの少なくとも１つの軸端と駆動接続され、前記第２の駆動接続部と前記第１の駆動接続部とは駆動接続と接続切断とを切り換えることができる。
【００１９】
さらに、前記第２の駆動接続部は前記ロールブラシの軸方向に沿って往復移動することができ、前記第２の駆動接続部が、前記第１の駆動接続部から離れる方向へ、第１のプリセット位置まで移動した場合、前記第２の駆動接続部と前記第１の駆動接続部との間は接続が切断され、前記第２の駆動接続部が、前記第１の駆動接続部に近づく方向へ、第２のプリセット位置まで移動した場合、前記第２の駆動接続部と前記第１の駆動接続部との間は駆動接続される。
【００２０】
さらに、前記第１の駆動接続部の前記第２の駆動接続部に向かう側に複数の第１のチャック爪が形成され、前記第２の駆動接続部の前記第１の駆動接続部に向かう側に複数の第２のチャック爪が形成され、複数の前記第２のチャック爪と複数の前記第１のチャック爪とは挿嵌される。
【００２１】
さらに、前記洗浄機器はロボット掃除機である。
【発明の効果】
【００２２】
本願の実施例のロールブラシ装置は、ロールブラシと取り付けアセンブリを接続することにより、ロールブラシを取り外す必要がある場合、ロールブラシ装置全体を洗浄機器の頂部または側部から取り出してもよいし、ロールブラシ装置全体を洗浄機器の頂部または側部から洗浄機器内に組み込んでもよく、洗浄機器を反転させる必要がないため、使用者自身で容易に着脱でき、また洗浄機器の反転による洗浄機器の外観面の引っ掻き傷を回避することができる。
【図面の簡単な説明】
【００２３】
図面は、本願をさらに理解するために提供され、明細書の一部として構成され、以下の具体的な実施形態とともに本願を解釈するために用いられるが、本願を限定するものではない。図面において、
【図１】本願の一実施例の洗浄機器の構造模式図である。
【図２】別の視野角で見ると、図１に示す洗浄機器の構造模式図である。
【図３】図１に示す洗浄機器の一部の分解模式図である。
【図４】本願の一実施例のロールブラシ装置の構造模式図である。
【図５】別の視野角で見ると、図４に示すロールブラシ装置の構造模式図である。
【図６】さらに別の視野角で見ると、図４に示すロールブラシ装置の構造模式図である。
【図７】図４に示すロールブラシ装置の分解模式図である。
【図８】図４に示すロールブラシ装置と、一実施例の第２の駆動接続部、搬送ベルトおよびモータとの嵌合構造模式図である。
【図９】本願の一実施例の第２の駆動接続部の構造模式図である。
【発明を実施するための形態】
【００２４】
なお、本願における実施例および実施例における技術的特徴は、矛盾しない場合、相互に組み合わせてもよく、具体的な実施形態における詳細な説明は、本願の趣旨に対する解釈および説明として理解されるべきであり、本願を限定するものとみなされるべきではない。
【００２５】
本願の説明において、「頂」、「底」、「横方向」の方位または位置関係は、図１に示す方位または位置関係に基づくものである。なお、これらの方位についての用語は、本願の説明を容易にし、説明を簡略化するためのものであり、示される装置または素子が必ず特定の方位を有し、特定の方位で構築および操作することを指示または示唆しないため、本願を限定するものとして理解すべきではない。
【００２６】
洗浄機器を、例えば地面のような被洗浄媒体の表面に置き、被洗浄媒体寄り側を「底」とし、被洗浄媒体から離反する側を「頂」とする。
【００２７】
本願の一実施例はロールブラシ装置２０を提供し、説明の便宜上、本願の実施例では、ロールブラシ装置２０を洗浄機器に用いることを例として説明し、具体的な実施例では、洗浄機器をロボット掃除機とすることを例として説明するが、当該洗浄機器は他のタイプのものであってもよいことが理解されたい。本願の実施例のロールブラシ装置２０はさらに、他の機器に用いてもよい。
【００２８】
図７を参照すると、本願の実施例のロールブラシ装置２０は、ロールブラシ２１および取り付けアセンブリを含み、ロールブラシ２１と取り付けアセンブリが接続され、ロールブラシ２１は取り付けアセンブリに対して回動可能であり、取り付けアセンブリはロールブラシ２１を連動して動かすことができる。取り付けアセンブリの一方側に逃げ切欠２０ａが形成され、ロールブラシ２１は逃げ切欠２０ａから露出する。本願の実施例のロールブラシ装置２０は、ロールブラシ２１と取り付けアセンブリを接続することにより、ロールブラシ２１の容易な着脱を実現することができる。具体的な操作プロセスにおいて、例えば、ロールブラシ２１を取り外す必要がある場合、ロールブラシ装置２０全体を洗浄機器の頂部または側部から取り出してもよく、ロールブラシ装置２０全体を洗浄機器の頂部または側部から洗浄機器内に組み込んでもよく、洗浄機器を反転させる必要がないため、使用者自身で容易に着脱でき、また洗浄機器の反転による洗浄機器の外観面の引っ掻き傷を回避することができる。
【００２９】
続けて図７を参照すると、ロールブラシ２１とは、自分が回動可能で、例えば地面のような被洗浄媒体を洗浄できる構造であり、本願の実施例では、ロールブラシ２１は、ロールブラシ軸２１０およびロールブラシ軸２１０に接続されるブラシ毛２１１を含む。ブラシ毛２１１とロールブラシ軸２１０の接続方式は限定されず、ブラシ毛２１１は、例えば、ブラシ棒、毛羽などであってもよく、形状および材質が限定されない。
【００３０】
本願の実施例は、ロールブラシ装置２０を洗浄機器の頂部から着脱可能な場合を例として説明する。
【００３１】
取り付けアセンブリはロールブラシ２１に取り付け位置および支持を提供することができ、ロールブラシ２１の着脱を容易にする。図６を参照すると、本願の一実施例では、取り付けアセンブリに収容キャビティ２０ｃおよび吹出口２０ｂが形成され、ロールブラシ軸２１０は収容キャビティ２０ｃ内に収容され、逃げ切欠２０ａは収容キャビティ２０ｃの底側、即ち、被洗浄媒体に向かう側に形成され、ブラシ毛２１１は、被洗浄媒体と接触するように、逃げ切欠２０ａ内から延出することができる。吹出口２０ｂは、収容キャビティ２０ｃの底側と異なる側に形成され、即ち、吹出口２０ｂは底側に設置されることなく、収容キャビティ２０ｃのトップ側または横方向の側に設置される。収容キャビティ２０ｃにおける気流は吹出口２０ｂを介して収容キャビティ２０ｃから排出され、即ち、吹出口２０ｂと収容キャビティ２０ｃが連通し、収容キャビティ２０ｃ内に、埃、毛髪などを吸着するように、負圧を形成することができ、埃、毛髪などの異物を巻き込む気流は吹出口２０ｂを介して洗浄機器の集塵構造（図示せず）へ流れる。
【００３２】
本願の一実施例では、図４を参照すると、取り付けアセンブリは取り付けブラケット２２および遮蔽板２３を含み、取り付けブラケット２２の内部は中空であり、取り付けブラケット２２は中空の略円筒状であり、取り付けブラケット２２の頂部および底部は開放構造として形成される。遮蔽板２３は取り付けブラケット２２の内部に密封して設置され、即ち、取り付けブラケット２２内の空間を相互に分離する第１の空間２２ａと第２の空間２２ｂに分割するように、遮蔽板２３の周縁は取り付けブラケット２２の内壁に密封して当接され、ここで、第１の空間２２ａは収容キャビティ２０ｃの少なくとも一部として形成され、吹出口２０ｂは収容キャビティ２０ｃの横方向の側に形成され、且つ第１の空間２２ａと連通し、つまり、第１の空間２２ａは収容キャビティ２０ｃであってもよいし、収容キャビティ２０ｃの一部であってもよい。遮蔽板２３を介して取り付けブラケット２２の底部および頂部の空間を隔てることで、第１の空間２２ａ内の気流は、取り付けブラケット２２の他の位置から排出せず、吹出口２０ｂに沿って排出されるため、負圧をよく形成して、洗浄効果を向上させることができる。使用者がロールブラシ２１の動作状況を直観的に観測できるように、遮蔽板２３は光透過性材料で製造されることが理解されたい。
【００３３】
使用者がロールブラシ装置２０を引き上げるように、本願の一実施例では、続けて図４を参照すると、取り付けアセンブリはさらに引き上げ部２５を含み、引き上げ部２５は取り付けブラケット２２に接続され、且つ引き上げ部２５は少なくとも一部が取り付けブラケット２２のトップ側から露出する。具体的な操作プロセスにおいて、使用者は引き上げ部２５を把持してロールブラシ装置２０を洗浄機器内から引き上げることができる。引き上げ部２５の構造は、限定されず、例えば、取り付けブラケット２２から突出する第２の空間２２ｂにおける突出構造であってもよいし、回動可能な提げ手であってもよい。本願の具体的な実施例では、引き上げ部２５は回動可能な提げ手として形成され、ロールブラシ装置２０を洗浄機器内に組み込む場合、提げ手は取り付けブラケット２２の頂部と貼り合わせ、ロールブラシ装置２０を取り出す必要がある場合、提げ手を一定の角度で回動して引き上げればよい。
【００３４】
本願の一実施例では、図５を参照すると、取り付けブラケット２２の頂部にフランジ構造２２１が形成され、フランジ構造２２１により、ロールブラシ装置２０を洗浄機器内に安定的に支持することができる。構造をコンパクトにするために、上記の提げ手とフランジ構造２２１の上面は貼り合わせてもよいことが理解されたい。
【００３５】
ロールブラシ２１の取り付けを容易にし、大サイズのものの収容キャビティ２０ｃ内への吸入を防止するために、本願の一実施例では、図７を参照すると、取り付けアセンブリは底蓋２４を含み、底蓋２４と取り付けブラケット２２は着脱可能に接続され、逃げ切欠２０ａは底蓋２４に形成され、つまり、底蓋２４は取り付けブラケット２２の底側に設置される。本実施例では、底蓋２４と、取り付けブラケット２２と、遮蔽板２３とともに収容キャビティ２０ｃを形成するように囲まれる。即ち、本実施例では、第１の空間２２ａは収容キャビティ２０ｃの一部とする。ロールブラシ２１を取り外す必要がある場合は、ロールブラシ装置２０を洗浄機器内から取り出した後、底蓋２４と取り付けブラケット２２を分離させて、ロールブラシ２１を取り出せばよい。
【００３６】
図６を参照すると、底蓋２４の取り付けブラケット２２から離れる底端面は傾斜面として形成される。ロールブラシ装置はさらにロール支持部２８を含み、ロール支持部２８は底蓋２４の底端面における高さが低い側に回動可能に設置され、ロール支持部２８の少なくとも一部の構造が底蓋２４の底端面から突出することで、ロール支持部２８は被洗浄媒体の表面に回動可能に支持でき、ロール支持部２８の回動中心線はロールブラシ２１の回動中心線と平行である。底蓋２４の底端面を傾斜面として設置することにより、洗浄機器の動作中に、ロール支持部２８は被洗浄媒体の表面に支持され、底蓋２４のロール支持部２８がある側と反対側は被洗浄媒体の表面から離れることで、底蓋２４の底端面と被洗浄媒体の表面との間に一定の隙間があることになり、それにより、周囲の空気は収容キャビティ２０ｃにおける負圧の作用で収容キャビティ２０ｃ内に入ることができる。
【００３７】
続けて図６を参照すると、本願の実施例では、ロール支持部２８はローラとして形成され、ローラは、回動可能に支持するとともに、被洗浄媒体の表面との良好な接触を保持できるため、収容キャビティ２０ｃにおける負圧の効果を向上させる。
【００３８】
底蓋２４はロールブラシ２１を保護するという作用を果たし、大サイズのものの収容キャビティ２０ｃ内への吸入を防止し、底蓋２４はさらにロールブラシ２１の取り付けを容易にする。具体的には、ロールブラシ２１は取り付けブラケット２２および／または底蓋２４に取り付けられ、つまり、ロールブラシ２１は、取り付けブラケット２２のみに取り付けられてもよく、底蓋２４のみに取り付けられてもよく、さらに、取り付けブラケット２２と底蓋２４との境界に取り付けられてもよく、即ち、取り付けブラケット２２および底蓋２４と同時に接続される。
【００３９】
本願の実施例では、図４〜図６を参照すると、ロールブラシ２１は取り付けブラケット２２と底蓋２４との境界に取り付けられる。
【００４０】
本願の実施例では、図７を参照すると、底蓋２４は底板２４１および底板２４１の縁部から取り付けブラケット２２へ延在するスカート部２４２を含み、そのうち、逃げ切欠２０ａは底板２４１に形成される。スカート部２４２と取り付けブラケット２２との境界に風漏れしないように、スカート部２４２の上面は取り付けブラケット２２の底部の表面と貼り合わせて接触する。スカート部２４２と取り付けブラケット２２の接続方式が限定されず、着脱可能な接続を実現すればよい。
【００４１】
図７を参照すると、スカート部２４２のロールブラシ２１の軸方向に沿う両側に第１の取り付け切欠２４ａが形成され、取り付けブラケット２２の底部の両側に第２の取り付け切欠２２ｃが形成され、第１の取り付け切欠２４ａと対応する第２の取り付け切欠２２ｃは共同で囲んで取り付け孔２０ｄを形成し（図５参照）、つまり、１つの第１の取り付け切欠２４ａが１つの第２の取り付け切欠２２ｃに対応し、合計で２つの取り付け孔２０ｄが形成され、ロールブラシ軸２１０の軸方向の両端は対応する取り付け孔２０ｄ内に回動可能に挿設され、このように設計すると、底蓋２４を取り付けブラケット２２から取り外す場合は、ロールブラシ２１を取り付けアセンブリ内から取り出すことができる。
【００４２】
ロールブラシ２１の駆動接続を容易にするために、本願の一実施例では、図７を参照すると、ロールブラシ装置２０は第１の駆動接続部２７を含み、第１の駆動接続部２７はロールブラシ２１の少なくとも１つの軸端と駆動接続される。一例として、第１の駆動接続部２７の取り付けブラケット２２から離反する端面に複数の第１のチャック爪２７１が形成されている。第１のチャック爪２７１と動力機構との組み合わせにより、動力機構は第１の駆動接続部２７の回動を駆動でき、さらにロールブラシ２１の同期回動を駆動する。
【００４３】
図１〜図３を参照すると、本願の実施例の別の態様にて、本体部１０および上記のいずれかのロールブラシ装置２０を含む洗浄機器が提供される。
【００４４】
図３を参照すると、本体部１０内に取り付けキャビティ１０１が形成され、取り付けキャビティ１０１の底側に第１の開口１０２が形成され、ロールブラシ２１は第１の開口１０２から露出する。取り付けキャビティ１０１の底側と異なる側に第２の開口１０３が形成され、つまり、第２の開口１０３は底側に設置されることなく、例えば、第２の開口１０３は取り付けキャビティ１０１のトップ側または横方向の側のいずれに設置してもよく、ロールブラシ装置２０は第２の開口１０３から取り付けキャビティ１０１に組み込み、または取り付けキャビティ１０１から離れることができる。具体的な操作プロセスにおいて、ロールブラシ２１を取り外す場合、洗浄機器を反転させる必要がなく、ロールブラシ装置２０全体を、第２の開口１０３を介して、取り付けキャビティ１０１内から取り出せばよい。ロールブラシ２１を取り付ける必要がある場合、ロールブラシ装置２０全体を第２の開口１０３から取り付けキャビティ１０１に組み込めばよく、着脱しやすく、反転による本体部１０の上面の引っ掻き傷を回避することができる。
【００４５】
本願の一実施例では、第２の開口１０３は本体部１０の頂部に位置し、こうすると、使用者はロールブラシ装置２０を直接取り出しやすく、また、頂部の空間が大きく、ロールブラシ装置２０の組み込みおよび取り出しのための空間が十分であり、ロールブラシ装置２０をより容易に着脱することができる。
【００４６】
ロールブラシ装置２０の位置決めを容易にするために、図３を参照すると、取り付けキャビティ１０１の内壁に段差面１０４が形成され、段差面１０４は本体部１０の頂部に向かう。それに応じて、取り付けアセンブリにフランジ構造２２１が形成され、本願の実施例では、フランジ構造２２１は取り付けブラケット２２の頂部に形成され、ロールブラシ装置２０は第２の開口１０３から取り付けキャビティ１０１内に組み込まれ、フランジ構造２２１は段差面１０４に当接され、段差面１０４はロールブラシ装置２０に対して支持作用を果たすことができる。
【００４７】
図８および図９を参照すると、洗浄機器はさらに第２の駆動接続部３１を含み、第２の駆動接続部３１と第１の駆動接続部２７とは駆動接続と接続切断とを切り換えることができ、例えば、ロールブラシ装置２０を取り付けキャビティ１０１内から取り出す必要がある場合、第２の駆動接続部３１と第１の駆動接続部２７の接続を切断し、ロールブラシ装置２０が取り付けキャビティ１０１内に取り付けられ、且つ取り出される必要がない場合、第２の駆動接続部３１と第１の駆動接続部２７は駆動接続される。
【００４８】
第２の駆動接続部３１はロールブラシ２１の軸方向に沿って往復移動できる。具体的には、ロールブラシ装置２０を取り付けキャビティ１０１内から取り出す必要がある場合、第２の駆動接続部３１を、第１の駆動接続部２７から離れる方向へ、第１のプリセット位置まで移動させると、第２の駆動接続部３１と第１の駆動接続部２７との接続が切断される。ロールブラシ装置２０が取り付けキャビティ１０１内に取り付けられ、且つ取り出される必要がない場合、第２の駆動接続部３１を、第１の駆動接続部２７の方向へ、第２のプリセット位置まで移動させると、第２の駆動接続部３１と第１の駆動接続部２７との駆動接続が実現される。
【００４９】
なお、上記の第１のプリセット位置は、第２の駆動接続部３１が当該第１のプリセット位置に位置し、第２の駆動接続部３１と第１の駆動接続部２７が干渉しないことを満たす。第２のプリセット位置は、第２の駆動接続部３１が当該第２のプリセット位置に位置し、第２の駆動接続部３１が、第１の駆動接続部２７の回動を駆動するように、第１の駆動接続部２７と駆動接続できることを満たす。
【００５０】
第２の駆動接続部３１のロールブラシ軸２１０の方向に沿う移動の実現方式としていろいろあり、一例として、洗浄機器はリセット部材（図示せず）および伝動制御機構（図示せず）を含み、リセット部材は第２の駆動接続部３１に対して第１の駆動接続部２７に向かう駆動力を加え、当該リセット部材は、ばね、ゴムバンドであってもよいし、磁石であってもよい。伝動制御機構は、ロールブラシ装置２０を取り出す必要がある場合、リセット部材および／第２の駆動接続部３１に上記の駆動力と反対する作用力を加える。例えば、伝動機構は、洗浄機器の外面に設置されるボタンを含んでもよく、ロールブラシ装置２０を取り出す必要がある場合、使用者はボタンを押し、伝動機構が加える作用力は、上記のリセット部材の駆動力を解消し、逃げ空間を割くように、第２の駆動接続部３１を第１の駆動接続部２７から離反する方向に沿って移動させ、取り出す過程における第１の駆動接続部２７との干渉の発生を防止する。ロールブラシ装置２０を取り出す必要がない場合、伝動制御機構は作用せず、第２の駆動接続部２７はリセット部材の作用で第１の駆動接続部２７との駆動接続を保持する。
【００５１】
本願の実施例では、図７を参照すると、第１の駆動接続部２７は略円盤状であり、且つ第２の駆動接続部３１に向かって延びる複数の第１のチャック爪２７１が形成されている。図９を参照すると、第２の駆動接続部３１に第１の駆動接続部２７に向かって延びる複数の第２のチャック爪３１１が形成されている。第１のチャック爪２７１と第２のチャック爪３１１は位置ずれて挿着され、第２の駆動接続部３１が回動する場合、第２のチャック爪３１１は第１のチャック爪２７１の回動を駆動し、これにより、第１の駆動接続部２７によるロールブラシ２１の回動に対する駆動を実現する。
【００５２】
図８を参照すると、洗浄機器はさらにモータ３２および搬送ベルト３３を含み、搬送ベルト３３はモータ３２と第２の駆動接続部３１との間に接続される。搬送ベルト３３はベルト、チェーンなどの構造の形式であってもよい。搬送ベルト３３は一定の長さを有するため、一定の柔軟性を有し、第２の駆動接続部３１の軸方向における移動を許容できる。
【００５３】
以上は本願の好適な実施例に過ぎず、本願を限定するものではなく、当業者であれば、本願に対して変形および変更を行うことができる。本願の精神および原則から逸脱せず、行われるあらゆる補正、同等の置換、改良などは、いずれも本願の保護範囲内に含まれる。
【符号の説明】
【００５４】
本体部１０、取り付けキャビティ１０１、第１の開口１０２、第２の開口１０３、段差面１０４、ロールブラシ装置２０、ロールブラシ２１、ロールブラシ軸２１０、ブラシ毛２１１、取り付けブラケット２２、フランジ構造２２１、第１の空間２２ａ、第２の空間２２ｂ、第２の取り付け切欠２２ｃ、遮蔽板２３、底蓋２４、底板２４１、スカート部２４２、第１の取り付け切欠２４ａ、逃げ切欠２０ａ、吹出口２０ｂ、収容キャビティ２０ｃ、取り付け孔２０ｄ、引き上げ部２５、第１の駆動接続部２７、第１のチャック爪２７１、ロール支持部２８、第２の駆動接続部３１、第２のチャック爪３１１、モータ３２、搬送ベルト３３。
【図１】
2021516070.tif 000003
【図２】
2021516070.tif 000004
【図３】
2021516070.tif 000005
【図４】
2021516070.tif 000006
【図５】
2021516070.tif 000007
【図６】
2021516070.tif 000008
【図７】
2021516070.tif 000009
【図８】
2021516070.tif 000010
【図９】
2021516070.tif 000011
【国際調査報告】
2021516070.tif 000012
2021516070.tif 000013
2021516070.tif 000014
2021516070.tif 000015
2021516070.tif 000016
2021516070.tif 000017